(57)【要約】【課題】  画像形成装置において、使用時間帯や使用機能動作毎に必要な機能部にのみ電源を供給することにより効率よく電力消費を抑えること。【解決手段】  本発明の画像形成装置は、各機能動作毎に動作必要な機能部にのみ電力供給を供給可能な制御部を有し、各機能動作毎の限定電源供給モードに移行する移行の待機時間及び移行モードの順序を指定時間毎に設定可能とすることにより、使用時間帯に合わせた細かな省電力モードへの設定に対応することが可能となり、結果的にユーザの利便性を損なわずに省電力化が可能となった。【選択図】図１
2008203704.tif 000002
【特許請求の範囲】
【請求項１】
機能動作毎にその動作に必要な機能部分にのみ電源を供給する複数の異なる限定電源供給モードを持ち、
所定の待機時間をカウントするタイマと、
前記タイマからの信号により、前記機能動作が前記所定の待機時間内に発生したか否かを判断する動作判断部と、
前記動作判断部が前記機能動作が発生しなかったと判断したとき、次の所定の限定電源供給モードに移行させるモード移行制御部と、
前記モード移行制御部が移行させる前記限定電源供給モードの移行動作の順序及び前記待機時間を、指定時間毎に設定可能とするモード移行設定部とを備えた
ことを特徴とする画像形成装置。
【請求項２】
請求項１の画像形成装置であって、
前記モード移行制御部は、前記限定電源供給モード中に前記限定電源供給モードに指定された機能動作に必要な機能部以外への電源供給が必要とされる機能動作の要求が有った場合には、該機能動作に必要な機能部に電源を供給して該機能動作を実行可能とさせる
ことを特徴とする画像形成装置。
【請求項３】
請求項１または２の画像形成装置であって、
前記機能動作毎の前記限定電源供給モードが、印刷モード、複写モード、送信モード、及び待機モードを含む
ことを特徴とする画像形成装置。
【請求項４】
請求項１から３のいずれかの画像形成装置であって、
前記指定時間毎の指定時間が、日中時間、残業時間、深夜時間である
ことを特徴とする画像形成装置。
【発明の詳細な説明】
【技術分野】
【０００１】
画像形成装置において、各機能部の電力供給をユーザの指定で制御可能とすることにより、省電力化可能な画像形成装置に関する。
【背景技術】
【０００２】
電子写真方式の画像形成装置では、トナーを熱定着させるため定着部での電力消費が大きいが、印刷要求があってから印刷を素早くできるように定着部を待機状態であってもプレヒートしておく。しかし、連続しての動作が行われないような場合には、省電力のためにプレヒートを行わずに、ユーザの利便性を犠牲にして省電力を図る。
【０００３】
上記のプレヒートの例に限らず、画像形成装置の各機能部への電源供給は、連続して動作が行われる場合には、各機能部に電源を供給し、夜間などあまり使用されない時間帯などには必要最小限の部分にのみ電力を供給する省電力モードとすることにより、ユーザの利便性と省電力を両立させている。
【０００４】
例えば、電力を供給または遮断許容して備えられるユニットの複数を結合して構成した結合装置であって、上記ユニット毎に応じた電力の供給条件または遮断条件を設定し、この設定された条件にしたがって各ユニット毎に個別に電力の供給と遮断を行う電力制御手段を備えて、こまやかな節電機能を持たせることができ、この結果、節電限界を追及した低消費電力の経済的な装置として利用できる方法がある（特許文献１参照）。
【０００５】
しかし、この方法では、あらかじめ結合されたユニット単位においてのみの省電力モードが得られるだけで、画像形成装置においての送信（ファクシミリ送信や電子メール送信）、複写、印刷などの各機能動作毎の装置内デバイス（スキャナ部、印刷部、操作部など）の電力供給をユーザの指定で制御して、消費電力を抑制することができなかった。
【０００６】
【特許文献１】特開２０００−２９５７６８号公報
【発明の開示】
【発明が解決しようとする課題】
【０００７】
解決しようとする問題点は、画像形成装置において送信（ファクシミリ送信や電子メール送信）、複写、印刷などの各機能動作毎の装置内デバイス（スキャナ部、印刷部、操作部など）の電力供給をユーザの指定で制御して、消費電力を抑制することができなかった点である。
【課題を解決するための手段】
【０００８】
本発明の画像形成装置は、機能動作毎にその動作に必要な機能部分にのみ電源を供給する複数の異なる限定電源供給モードを持ち、所定の待機時間をカウントするタイマと前記タイマからの信号により、前記機能動作が前記所定の待機時間内に発生したか否かを判断する動作判断部と前記動作判断部が前記機能動作が発生しなかったと判断したとき、次の所定の限定電源供給モードに移行させるモード移行制御部と前記モード移行制御部が移行させる前記限定電源供給モードの移行動作の順序及び前記待機時間を、指定時間毎に設定可能とするモード移行設定部とを備えたことを最も主要な特徴とする。
【発明の効果】
【０００９】
本発明の画像形成装置は、機能動作毎にその動作に必要な機能部分にのみ電源を供給する複数の異なる限定電源供給モードを持ち、所定の待機時間をカウントするタイマと前記タイマからの信号により、前記機能動作が前記所定の待機時間内に発生したか否かを判断する動作判断部と前記動作判断部が前記機能動作が発生しなかったと判断したとき、次の所定の限定電源供給モードに移行させるモード移行制御部と前記モード移行制御部が移行させる前記限定電源供給モードの移行動作の順序及び前記待機時間を、指定時間毎に設定可能とするモード移行設定部とを備えたことを最も主要な特徴とするため、送信、複写、印刷などの各機能動作毎の装置内デバイスの電力供給をユーザの指定で制御して、消費電力を抑制することが可能となった。
【発明を実施するための最良の形態】
【００１０】
画像形成装置において、送信、複写、印刷などの各機能動作毎の装置内デバイスの電力供給をユーザの指定で制御して、消費電力を抑制することが出来ないという問題点を装置内デバイスへの電源供給を機能動作毎に設定した限定電源供給モードを設け、指定時間帯毎にどの機能動作を優先させた限定電源供給モードを設定するかを定めることにより問題を解決した。
【実施例１】
【００１１】
［構成］
図１は、本発明の実施例に係わる画像形成装置のブロック構成図である。
【００１２】
画像形成装置には、図１に示すスキャナ部１０１、印刷部１０３、操作部１０５、記憶装置１０７、制御部１１１を有する。また、前記制御部１１１は、モード移行制御部１１３、モード移行設定部１１５、動作判断部１１７、タイマ１１９からなる。
【００１３】
スキャナ部１０１は、スキャナを有し、画像を電子情報として取り込む。
【００１４】
印刷部１０３は、電子写真方式により印刷を行うための露光部、現像部、定着部などからなり、印刷を行う。印刷部が、電力を一番多く消費する。
【００１５】
操作部１０５は、表示パネル及び操作キーからなり、画像形成装置の複写やファクシミリ送信などの操作の指示を行うと共に、限定電源供給モードへの移行順序や待機時間の設定を行う。
【００１６】
記憶装置１０７は、半導体メモリと磁気ディスクから構成され、スキャナ部でスキャンした画像の電子情報を保持したり、ファクシミリ受信した画像データを保持したりすると共に、画像形成装置の機能動作を実現させるプログラムを保持する。
【００１７】
制御部１１１は、ＣＰＵ（Central Processing Unit）と周辺制御回路から構成され、画像形成装置全体の制御を行う。また、画像形成装置の各機能部への電源供給の制御を行う。制御部１１１は、以下の各機能部を有する。
【００１８】
モード移行制御部１１３は、機能動作毎に設定されている限定電源供給モードを移行させる制御を行う。モードが移行されると、モード移行制御部は、そのモードに対応する機能動作に必要な機能部分（スキャナ部、印刷部、操作部のうちの必要部分）にのみ電源を供給する制御を行う。
【００１９】
また、モード移行制御部１１３は、ある限定電源供給モードで待機中に、該限定電源供給モードでは電源供給されていない機能部への電源供給が必要な機能動作が発生した場合には、該電源供給が必要な機能部への電源供給をする制御を行う。
【００２０】
モード移行設定部１１５は、限定電源供給モードが移行する際の、移行順序と移行するまでの待機時間とを指定時間毎に設定する。設定は、あらかじめ代表的動作を初期設定したものを用意しておき、ユーザがその中から選択することとしても良いし、またユーザが設定を行うこととしてもよい。
【００２１】
動作判断部１１７は、画像形成装置がある限定電源供給モードから他の限定電源供給モードに移行する際の判断を行う。ある限定電源供給モード状態から所定の待機時間内に機能動作が発生しなかった場合には、次の限定電源供給モードに移行すると判断する。
【００２２】
タイマ１１９は、前記動作判断部が判断する際の待機時間をカウントする。
【００２３】
［省電力モードへの移行動作］
複写機の各機能動作において、送信（ファクシミリ送信や電子メール送信）で使用するデバイスは図１に示すスキャナ部１０１、操作部１０５となり印刷部１０３は使用しない。また、コピー（複写）では、スキャナ部１０１、印刷部１０３、操作部１０５を使用する。プリンタ（印刷）では印刷部１０３のみの使用となる。
【００２４】
ユーザはあらかじめ、優先機能、時間帯そして待機時間（モード移行への間隔）を設定できる。そして、その組み合わせにより電力供給を停止させるデバイスの種類を自動で選択してスリープ状態（限定電源供給モード）に入る。
【００２５】
例えば、以下の設定をしたとする。
【００２６】
待機時間：５分と設定し、
指定時間帯を以下のようにする
（１）０８：００−１８：００（日中時間）優先順位：１．印刷、２．複写、３．送信
（２）１８：００−２０：００（残業時間）優先順位：１．送信、２．複写、３．印刷
（３）２０：００−０８：００（深夜時間）優先順位：１．なし、２．なし、３．なし
（１）においては、８：００からユーザが操作しない状態が５分経過した場合、送信機能が必要でないと判断される。さらに５分経過した場合、送信、複写機能が必要でないと判断され、スキャナ部、操作部の電力供給を停止する。その後、さらに５分経過すると印刷部の電力供給を停止し、完全なスリープ状態に入る。
【００２７】
一方、（２）の１８：００−２０：００の間でユーザが操作しない状態が５分経過した場合、印刷機能が必要でないと判断される。さらに５分経過した場合、複写機能が必要ないと判断され、ここで印刷部の電力供給を停止する。その後、さらに５分経過するとスキャナ部、操作部の電力供給を停止し、完全なスリープ状態に入る。
【００２８】
また、（３）の２０：００−０８：００の設定のように、機能の優先順位を何も設定していない場合は、５分経過したら、すべての電力供給を停止し、完全なスリープ状態に入る。
【００２９】
［フローチャート］
図２のフローチャートを用いて動作の流れについて説明する。
【００３０】
Ｓ１１：制御部は、限定電源供給モードへの移行が可能かどうかを画像形成装置の設定状態から判断する。移行不可であれば省電力モードに移行することなく動作を終了する。移行可であれば動作をＳ１３に移行する。
【００３１】
Ｓ１３：制御部は、ユーザが指定した各限定電源供給モード移行への指定時間、優先機能順位、待機時間を参照する。
【００３２】
Ｓ１５：制御部は、Ｓ１３で参照した情報より優先機能に合わせた電力停止するデバイスの決定を行う。
【００３３】
Ｓ１７：Ｓ１３で指定した電力供給停止デバイスへの電力停止を行う。
【００３４】
Ｓ１９：指定時間内の指定順序の先頭の限定電力供給モードに移行する。
【００３５】
Ｓ２１：設定された限定電力供給モードにおいて、指定した待機時間の間、機能動作が無いかどうかを判断し、機能動作が無かった場合には、モード移行可と判断して動作をＳ２３に移行する。移行不可の場合は、移行可の条件が揃うまでＳ２１でループを繰り返す。
【００３６】
Ｓ２３：現在の設定状態を参照する。
【００３７】
Ｓ２５：Ｓ２３で参照した状態を元に所定のデバイスへの電力の停止を行う。
【００３８】
Ｓ２７：限定電源供給モードに移行する。その後Ｓ２１に動作を移し、次の限定電源供給モードに移行するかどうかについて判断を行う。
【００３９】
［実施例の効果］
本発明実施例の画像形成装置は、日中時間、残業時間、深夜時間などの指定時間帯ごとに、その時間帯に使用頻度の多いと思われる機能部分については、優先的に電源を供給し、指定の待機時間機能動作の使用が無かった場合には、次の限定電源供給モードに移行する方法によって、ユーザが画像形成装置の迅速な応答と、消費電力の抑制という二つの目的を細かな設定により両立させることを可能とした。
【００４０】
［その他］
本実施例においては、日中時間、残業時間、深夜時間の三区分としたが、これに曜日や祝日か否かなどの条件を加えることにより、休日時間などの新しい区分を設定するようにしても良い。
【００４１】
モード移行制御部が移行させるモードとして、限定的に電源を供給させるモードではなく、すべての機能部に電源を供給する正常モードを設けても良い。
【図面の簡単な説明】
【００４２】
【図１】画像形成装置の機能ブロック図である（実施例１）。
【図２】画像形成装置の動作のフローチャートである（実施例１）。
【符号の説明】
【００４３】
１０１  スキャナ部
１０３  印刷部
１０５  操作部
１０７  記憶装置
１１１  制御部
１１３  モード移行制御部
１１５  モード移行設定部
１１７  動作判断部
１１９  タイマ
【図１】
2008203704.tif 000003
【図２】
2008203704.tif 000004